(57)【要約】主電源電力供給コンセントは、無線によるコード化信号を受信する受信手段と、使にあたり、電力消費デバイスに主電源電力を供給するよう、この電力消費デバイスに接続可能なソケットと、電源電力によって動作し、受信したコード化信号を復号し、また受信したコード化信号に応答して電力を前記ソケットに向かうよう切り替える制御を行うコントローラと、および接続センサであって、前記コンセントに対する電力消費デバイスの接続を感知し、またこのような接続がない場合にはコントローラから電力を切り離すための該接続センサと、を備える。本発明は、さらに、電気照明スイッチアセンブリを提供し、この電気照明スイッチアセンブリは、照明回路への電力供給を制御するための手動照明スイッチと、上述した主電源電力供給コンセントへの無線によるコード化信号の送信を作動させるための手動遠隔電源スイッチと、を備える。本発明は、さらに、送電アセンブリを提供し、この送電アセンブリは、主電源電力を受け取るのに適切なプラグと、プラグが受け取った主電源電力を送電するのに適切なソケットと、および手動遠隔電源スイッチであって、上述した主電源電力供給コンセントへの無線によるコード化信号の伝達を作動させる該手動遠隔電源スイッチと、を備える。
2010526403.tif 000002
【特許請求の範囲】
【請求項１】
主電源電力供給コンセントにおいて、
無線によるコード化信号を受信する受信手段と、
使用にあたり電力消費デバイスに接続可能であり、この電力消費デバイスに主電源電力を供給することができるソケットと、
主電源電力によって動作し、前記受信したコード化信号を復号し、また復号した前記信号に応答して前記ソケットに対して電力を切り替える制御を行うコントローラと、
前記ソケットに対する電力消費デバイスの接続を感知し、またこのような接続がない場合前記コントローラから電力を切り離すための接続センサと
を備える主電源電力供給コンセント。
【請求項２】
請求項１に記載の主電源電力供給コンセントにおいて、前記接続センサは、前記ソケットに接続可能なプラグの端子ピンによって作動する構成とした主電源電力供給コンセント。
【請求項３】
請求項１または２に記載の主電源電力供給コンセントにおいて、さらに、前記コントローラの作動を無効にするための手動スイッチを備える主電源電力供給コンセント。
【請求項４】
請求項１〜３のいずれか一項に記載の主電源電力供給コンセントにおいて、前記コントローラは、前記復号した信号を主電源電力供給コンセント内に保持した予記憶コードと比較し、前記復号信号と前記予記憶コードとの間に一致が見つかった場合のみ電力の切り替えを制御する構成とした、主電源電力供給コンセント。
【請求項５】
請求項４に記載の主電源電力供給コンセントにおいて、さらに、事後に受信した無線によるコード化信号に合致させるよう、前記予記憶コードを変化させる手段を備える主電源電力供給コンセント。
【請求項６】
本明細書に記載した主電源電力供給コンセントであって、添付図面につき説明した実施形態の、あらゆる適切な組み合わせによる、主電源電力供給コンセント。
【請求項７】
電気照明スイッチアセンブリにおいて、
照明回路への電力供給を制御するための手動照明スイッチと、
請求項１〜６のいずれか一項に記載の主電源電力供給コンセントへの無線によるコード化信号の送信を作動させるための手動遠隔電源スイッチと
を備える電気照明スイッチアセンブリ。
【請求項８】
送電アセンブリにおいて、
主電源電力を受け取るのに適切なプラグと、
前記プラグによって受け取った主電源電力を送電するのに適切なソケットと、および
請求項１〜６のいずれか一項に記載の主電源電力供給コンセントへの無線によるコード化信号の送信を作動させるための手動遠隔電源スイッチと
を備える送電アセンブリ。
【請求項９】
請求項７または８に記載の送電アセンブリにおいて、さらに、前記無線によるコード化信号の送信を可聴表示する音声発生器を備える送電アセンブリ。
【請求項１０】
請求項７，８または９のいずれか一項に記載の送電アセンブリにおいて、さらに、前記無線によるコード化信号の送信を可視表示する可視インジケータを備える送電アセンブリ。
【請求項１１】
明細書に記載した電気照明スイッチアセンブリであって、添付図面につき説明した実施形態の、あらゆる適切な組み合わせによる電気照明スイッチアセンブリ。
【請求項１２】
明細書に記載した送電アセンブリであって、添付図面につき説明した実施形態の、あらゆる適切な組み合わせによる送電アセンブリ。
【発明の詳細な説明】
【技術分野】
【０００１】
本発明は、エネルギー効率を改善し、とくに屋内環境で使用するための電源装置（コンセントのソケットおよび関連するスイッチ）に関する。
【背景技術】
【０００２】
今日家庭で使用する電気的装置の数は増えるにつれ、機器を使用していないときでさえ「待機（スタンバイ）モード」での使用により、より多くの電力が消費される。この「待機（スタンバイ）モード」では、電力は主電気回路から切り離されるが、使用者が離れて機器をスイッチオンすることができるようにセンサや他の電気回路には保持される。このようなシステムは、例えばテレビ、ビデオレコーダー、パソコン、ＤＶＤプレーヤー、および他の音響機器に共通である。皿洗い機、洗濯機、回転式乾燥機、およびデジタルマイクロ波装置（電子レンジ）のような多くの他のいわゆる「白物家電」もまた、これらの特徴がある。携帯デバイス、例えば携帯電話、ＭＰ３プレーヤーの使用の増加により、消費者はそれらのバッテリーを充電するために多数の充電器を持つことがよくある。これらデバイスは、たとえ充電する設計となっていないデバイスが接続されていないとしても、主電源にプラグが差し込まれているときには、電力を消費する。これらデバイスのすべては、結果としてほとんど、またはまったく利益なく電力消費となる。この損失をなくすために、消費者は個別に手作業で各デバイスのスイッチをオフにする、またはプラグを抜かなければならない。伝統的に、主電源電力供給コンセントのソケットパネルは建物の内壁の低い位置に、またしばしば供給する機器の背後に位置し、アクセスしにくいことがある。従来、「待機（スタンバイ）モード」を使用して機器をスイッチオフする携帯（モバイル）デバイスが研究され、例えば特許文献１（英国特許出願公開第２４０７７１３号）、特許文献２（英国特許出願公開第２３８５４４９号）、特許文献３（国際公開第０１／５２５９０号）に記載のものがあるが、不運なことに、これらはすべて本発明が解決しようとする３つの欠点を有する。
【先行技術文献】
【特許文献】
【０００３】
【特許文献１】英国特許出願公開第２４０７７１３号明細書
【特許文献２】英国特許出願公開第２３８５４４９号明細書
【特許文献３】国際公開第０１／５２５９０号
【特許文献４】独国特許出願公開第４３０１７９９号明細書
【特許文献５】特開平２−１０９２８２号公報
【特許文献６】欧州特許出願公開第１６５３５７２号明細書
【特許文献７】独国特許出願公開第２０３１１３００号明細書
【特許文献８】米国特許第５４５５４６４号明細書
【発明の概要】
【発明が解決しようとする課題】
【０００４】
第１に、携帯（モバイル）デバイスは、いずれはバッテリーを交換または再充電する必要がある。第２に、消費者は、依然として上述の遠隔制御を捜さなければならず、またデバイスがどこに配置されていても（ときに異なる部屋のどこかに置かれている場合がある）、物理的にデバイスの受信部分に出向かなければならない。第３に、これらデバイスは、置き忘れるまたは盗まれる可能性がある。手作業によるスイッチオフのし忘れはエネルギーコストを増大し、炭素放出による生態環境の問題も生じる。さらに、たとえ消費者が部屋を出るとき、または夜寝るとき（原則として）デバイスのプラグを抜きまたスイッチオフにする意思があったとしても、（しばしば異なる部屋に置かれている）各コンセントにおけるスイッチを順番に出向くには多大な努力が必要であり、どんなに環境保護を気にしている消費者でさえデバイスのスイッチを切り忘れがちである。
【０００５】
他の遠隔スイッチングデバイスもまた知られており、これら問題のうちいくつかの解決案を提供しようとしている。特許文献４（独国特許出願公開第４３０１７９９号）は操作を制御するための無線受信機を備える壁付けソケットを開示し、特許文献５（特開平２−１０９２８２号）と特許文献６（欧州特許出願公開第１６５３５７２号）も同様である。しかし、これら技術文献に記載されたデバイスは全て同一の固有の問題、すなわちそれら自体を使用していないときにも電力を消費するという問題を抱えている。特許文献７（独国特許出願公開第２０３１１３００号）および特許文献８（米国特許第５４５５４６４号）もまた、電源ソケットを無線で制御するシステムを記載しているが、それらもまた使用していないときに電力を消費する。
【課題を解決するための手段】
【０００６】
従って、本発明は、第１の独立した態様として、主電源電力供給コンセントを提供し、この主電源電力供給コンセント（アウトレット）は、無線によるコード化信号を受信する受信手段と、使用にあたり電力消費デバイスに接続可能であり、この電力消費デバイスに主電源電力を供給することができるソケットと、主電源電力によって動作し、受信したコード化信号を復号し、また復号した信号に応答して前記ソケットに対して電力を切り替える制御を行うコントローラと、および前記ソケットに対する電力消費デバイスの接続を感知し、またこのような接続がない場合コントローラから電力を切り離す接続センサとを備える。
【０００７】
とくに好適な実施形態において、主電源電力供給コンセントは、壁付け可能なコンセントである。壁付けの状況におけるこのような技術の使用は、（しばしば電気機器の背後または食器棚の背後などに位置し、）通常とくに手が届きにくいこれらタイプのコンセントにとっては、とくに有利である。
無線によるコード化信号の帯域、例えば超音波または他の音波、赤外線信号などを用いることができる。しかし、とくに好適な実施形態においては、無線信号を用いる。これは送信機と電源ソケットの受信手段との間の「見通しライン」を必要としないためである。
【０００８】
信号は「コード化」する、すなわち信号の固有な形態により、電源ソケットがとるべき動作を表わすようにする。動作は、システムから電力を切り離す、または電力を再投入することができるものとする。以下に記載するとくに好適な実施形態においては、コード化は、また固有コンセントのソケット（またはこのようなソケットの集合）を固有の信号コードにリンクするものとすることができる。
【０００９】
望ましくは、接続センサは、ソケットに接続可能なプラグのピンによって作動する構成とする。多くの国（例えば、英国）において、電気プラグは３個の端子ピンを有し、２個は電力を搬送し、第３のピンはデバイスにアース接続を提供する。最近の二重絶縁装置の多くはアース接続を必要としないが、アースピンは他の機能を提供し、プラグが接続されていないとき、活電源端子を覆う電源コンセントの安全ゲートを開く。従って、このピンを使用し、例えばマイクロスイッチ、または金属を感知する近接センサの使用により、接続センサを作動させることもできる。
【００１０】
さらに好適には、そして本発明の任意な実施形態において、コントローラの作動を無効にする手動スイッチを備える。冷蔵庫および冷凍庫のような消費者が常に電力を供給したいと思う電気デバイスだけでなく、おそらく指定時刻に録画するよう電力を残す必要があるビデオ録画機器もある。コントローラを無効にすることができる手動スイッチを設けることにより、部屋のあらゆる場所にこのような電源コンセントを設置し、また遠隔制御させるコンセントにする、またはしないかを事後選択することができる。
【００１１】
さらに好適には、そして本発明の任意な実施形態において、前記コントローラは前記復号した信号を主電源電力供給コンセント内に保持した予記憶コードと比較し、そして前記復号信号と前記予記憶コードとの間に一致が見つかった場合のみ、電力の切り替えを制御する構成とする。このようにして、個別のソケット（またはソケットの集合）は、１個またはそれ以上の遠隔信号送信機と関連付けることができる。より好適には、コンセントは、前記予記憶コードを、事後に受信した無線によるコード化信号に合致させるよう、変化させる手段を備える。これにより、使用要求を変化するように電力設備の環境を再設定することができる。
【００１２】
本明細書に記載するような主電源電力供給コンセントであって、添付図面につき説明した実施形態のあらゆる適切な組み合わせによる主電源電力供給コンセントもまた、本発明の範囲に含まれる。
【００１３】
第２の本発明による独立した態様において、本発明は、電気照明スイッチアセンブリを提供し、この電気照明スイッチアセンブリは、照明回路への電力供給を制御する手動照明スイッチと、上述した電源電力供給コンセントへの無線によるコード化信号の送信を作動させる手動遠隔電源スイッチとを備える。
【００１４】
同様に、本発明は送電アセンブリを提供し、この送電アセンブリは、主電源電力を受け取るのに適したプラグと、プラグによって受け取った主電源電力を送電するのに適したソケットと、および上述した主電源電力供給コンセントへの無線によるコード化信号の送信を作動させる手動遠隔電源スイッチとを備える。
【００１５】
本発明によれば、遠隔電源スイッチを従来の照明スイッチ（標準的なオンオフスイッチおよび調光スイッチどちらでも）と同一場所に配置することにより、消費者がコンセントのソケットから電力を切り離すのをし忘れるという問題を解決する。従って、消費者は部屋を出るとき照明のスイッチを切る習慣がすでにある場合、同一場所に電源無効スイッチを提示される。この構成から生じる多くの他の利点がある。このような照明スイッチは、ほとんど常に壁付けであるため、遠隔電源スイッチは固定位置にあり、不慮に紛失することはない。このスイッチはすでに主電源電力を供給され、この電力を使用して遠隔スイッチに必要な切り替え操作および信号送信を動作させることができる。
【００１６】
また、家庭内の所定位置にすでに配置されている電気ケーブル配線およびスイッチを取り付ける背面ボックスを使用して、これらの改善した照明スイッチおよび主電源電力供給コンセントアセンブリを収容し、これら照明スイッチおよび主電源電力供給コンセントアセンブリを既存設備に後付けすることができる。この結果、既存の家ならびに新築の家は、システムから生じるエネルギー節約による恩恵を受けることができる。
【００１７】
また好適には、そして本発明の任意な実施形態において、電気照明スイッチアセンブリまたは送電アセンブリは、さらに、無線によるコード化信号の送信を可聴表示する音声発生器を備えるものとする。このような音声によれば、使用者は、電力が選択した電源ソケットに対する接続または切り離しを確認するだけでなく、そうでなければシステムが適正に動作しているかを確かめることができない目の不自由な人にとって特に役立つ。
【００１８】
さらに好適には、そして本発明の任意な実施形態において、電気照明スイッチアセンブリまたは送電アセンブリは、さらに、無線によるコード化信号の送信の視覚表示を与える可視インジケータを備えるものとする。
【００１９】
また、添付図面につき本明細書で説明する電気照明スイッチアセンブリは、本発明の範囲に含まれる。本発明の範囲はさらに、添付図面につき本明細書で説明する送電アセンブリを含む。
以下に、図面につき本発明を説明する。
【図面の簡単な説明】
【００２０】
【図１ａ】遠隔のソケットを制御するための個別の付加的スイッチを有する一般的な一方向照明スイッチ制御パネルを示す。
【図１ｂ】遠隔のソケットを制御するための個別の付加的スイッチを有する一般的な調光照明スイッチ制御パネルを示す。
【図２ａ】遠隔能力を無効にして「学習モード」に入る個別の付加的スイッチを有する一般的な主電源電力供給コンセントのシングル・ソケットを示す。
【図２ｂ】上述の個別の付加的スイッチを有する一般的な主電源電力供給コンセントのダブル・ソケットを示す。
【図３】スイッチ装置を設置した典型的な家庭の部屋のレイアウトを示す。
【図４】個別の付加的スイッチを有する壁付け型照明スイッチ制御パネルにおける電気回路の実施例のブロック図である。
【図５】他の付加的スイッチを有する主電源電力供給コンセントにおける電気回路の実施例のブロック図である。
【図６】（ａ）および（ｂ）は、それぞれ上述のような個別の付加的スイッチを有する外付け主電源電力供給単独プラグアダプタの正面図および背面図を示す。
【図７】上述のような他の付加的スイッチを有する外付け４系統引き出しケーブルの主電源電力供給プラグアダプタを示す。
【図８】本発明電力コンセントのソケットによる実施例における動作を説明する他の線図的ブロック図を示す。
【図９】遠隔のソケットを制御するための個別の付加的なスイッチを有する延長リードの形態とした送電アセンブリを示す。
【発明を実施するための形態】
【００２１】
概観すると、本発明は添付の特許請求の範囲に記載した発明の範囲内で以下の実施形態に限定するものではないが、個別の付加的スイッチを有する壁付け型照明スイッチ制御パネルを提供し、この壁付け型照明スイッチ制御パネルにより、多数の壁付け型電気回路として変更した主電源電力供給コンセント（アウトレット）ソケットパネルを制御する。この付加的スイッチは無線技術を使用して、主電源電力供給コンセントのソケットパネルに手が届きにくいというアクセス上の問題を克服する。本発明は、各個別の主電源電力供給コンセントのソケットパネルまで物理的に出向く必要なく、壁付け型電気照明スイッチ制御パネルにおける個別の付加的スイッチにタッチすることにより、電子回路として変更した多数の主電源電力供給コンセント（アウトレット）のソケットパネルに対する消費者にオン／オフ制御を提供する。本発明のどの部分も使用時には電力を微量しか使わず、不使用時は全く電力を使わない。本発明のどの部分（ソケットパネルまたは照明スイッチパネル）も、交換または充電の必要があるバッテリーを使うことはない。本発明の両部分は壁に固定し、したがって、見失うことはあり得ない。時々アクセスしにくい従来主電源電力供給コンセントのソケットパネルでは時々アクセスしにくい場合があるが、本発明の制御部分については全く正反対のことが言える。通常、壁付け型電気照明スイッチ制御パネルは、部屋の入口または出口の近くの容易にアクセスできる場所に配置し、したがって消費者は部屋または住居に出入りする時に完全な制御をすることができる。典型的には、消費者は電子機器を一晩中「待機モード」にしたままで寝てしまうときがよくある。従って、本発明によれば、消費者は、彼らが照明をスイッチオフにするという夜最後の仕事を行うのと同時にこれら電子機器を「スイッチオフ」することが可能である。
【００２２】
本発明の個別の付加的スイッチ部分を有する壁付け型電気照明スイッチ制御パネルは、同一または異なる部屋にある本発明による壁付け型電子回路として変更した多数の主電源電力供給コンセントのソケットパネル部分を操作することができ、消費者の好みのいかなる場所にも設置することができる。
【００２３】
逆に、本発明による壁付け型電子回路として変更した主電源電力供給コンセントのソケットパネル部分は、本発明の多数の壁付け型電灯スイッチ制御パネルによって学習そして制御できる。
【００２４】
本発明の壁付け型電気回路改良型電源電力供給コンセントパネル部分は、各ソケットパネルの底部に設けた小型スイッチにより、必要であれば電気的に無効にすることができる。スイッチを無効状態にセットするとき、ソケットパネルの電子回路が電力を使用することはない。スイッチを有効状態にセットするとき、ソケットパネルに電気プラグを挿入する場合、ソケットパネルの電子回路のみが電力を使用する。
【００２５】
本発明による壁付け型の電子回路として変更した主電源電力供給ダブル（または２個以上の）コンセントのソケットパネルに対しては、各ソケットパネルの底部に設けた小型スイッチにより、必要であれば実際の電気出口ポイントを個別に無効にすることができる。したがって、ソケットパネルにおける電気出口ポイントの数だけ、ソケットパネルから、または必要に応じて本発明の個別の付加的スイッチを有する壁付け型電気照明スイッチ制御パネルから手動で制御することができる。
【００２６】
本発明の壁付け型電子回路として変更した主電源電力供給コンセントのソケットパネルは、さらに、他の形態、例えば引き出しケーブルを有するまたは有さない外付けの電子回路として変更した主電源電力供給プラグアダプタとすることもできる。
【００２７】
本発明は、設置して使用する場合、光熱費において消費者のお金を節約することができるが、より重要なこととしては、我々の惑星における生態環境上の問題を引き起こしている使用されまた排出されるエネルギー量を減らすことができる点である。消費者はお金を節約し、また私たちは皆この違いを感じることができる。
【００２８】
本発明は２個の部分、すなわち主電源電力供給コンセント（アウトレット）および電気照明スイッチアセンブリからなる。これら２部分それぞれの実施形態を、以下に添付図面につき説明する。
【００２９】
本発明による電気照明スイッチアセンブリの実施形態を図１ａおよび図１ｂに示す。図１ａは電気照明スイッチアセンブリを示し、全体的に参照符号１で示し、この電気照明スイッチアセンブリ１は、標準的なオンオフスイッチ２、遠隔電源スイッチ３、および発光ダイオード（ＬＥＤ）の形式とした視覚的インジケータ４を有する。スイッチアセンブリは、固定ネジ５により標準的な背面電気ボックスに取り付ける。図１ｂの実施形態は同様のスイッチを示すが、調光制御器６を内蔵する。
【００３０】
壁付け型電子回路として変更した主電源電力供給コンセントのソケットパネル（主電源電力供給アウトレット）の実施形態を図２ａおよび図２ｂに、全体的に参照符号７で示し、また、標準的なソケットオンオフスイッチ８、オーバーライド（無効）スイッチ９、および「学習モード」にソケットを設定するスイッチ１０を有するものとして示す。どちらのパネルも、固定ネジ１１によって標準的な背面電気ボックスに取り付けることができる。
【００３１】
本発明の第１部分に関する操作の説明に役立つように、図４に、どのようにして電気照明スイッチパネル（電気照明スイッチアセンブリ）の内部回路を主電源および一般的な電球に接続するかを示す基本的なブロック図を示す。この電気照明スイッチアセンブリは、家の部屋の壁に通常位置（例えば、図３の高さＨで示すように床から１〜１．５メートルの通常位置）に、主電源給電端子Ｓ１と電球Ｐとの間に取り外せないように取り付ける。
【００３２】
つぎに、電球Ｐを主電源給電端子Ｓ２に接続し、電気的接続を完成させる。主電源給電端子Ｓ１および電球Ｐはともに本発明のインタフェースＸ１に接続する。インタフェースＸ１は通常の照明スイッチＣ（代わりに使用される調光ノブまたはタッチプレートＥ）に接続し、したがって、通常のオン／オフ方法で電球Ｐを操作することができる。インタフェースＸ１は、さらに、上述した個別の付加的電源スイッチＡに接続する。個別の付加的スイッチＡを閉／オン位置に押し込むときのみ、電力は電子回路Ｙ，Ｚ，Ｔ１，ＫおよびＬに接続される。個別の付加的電源スイッチＡが押し込まれず開／オフ位置にある場合、電力が電子回路Ｙ，Ｚ，Ｔ１，ＫおよびＬによって使われることはない。個別の付加的電源スイッチＡは、さらに、エンコーダ回路Ｙに接続する。電力がエンコーダ回路Ｙに接続されるとき、接続する送信回路Ｚに固有のコード化電気信号を１個発生する。固有のコード化電気信号は常に同一であるが、個別の付加的スイッチを有する壁付け型の異なる電気照明スイッチ制御パネルにおけるそれぞれエンコーダ回路間では異なるものとすることができる。そして送信回路Ｚは、コード化電気信号をブロードキャスト可能な電気信号に変換し、このブロードキャスト可能な電気信号を接続アンテナＴ１から送信する。生成しコード化しアンテナＴ１から送信した信号は、少なくともイギリスでは、４１８ＭＨｚまたは４３３ＭＨｚの周波数範囲におけるライセンスフリーの無線周波数送信帯域内にある。しかし、周波数帯域は、本発明を使用する国における規則に適合するのが必要な場合、調整することができる。
【００３３】
送信回路Ｚは、さらに、発光ダイオード（Ｌ．Ｅ．Ｄ．）ＬおよびスピーカＫに接続する。発光ダイオードＬは図１ａおよび図１ｂに参照符号４で示すように、電気照明パネルの前面に取り付け、送信された前記信号の可視表示を行う。スピーカ（または他のトーンジェネレータ）は電気照明パネルの内部に設け、送信された前記信号の可聴表示を行う。本発明の第２部分に関する動作説明に役立つように、図５には、コンセントのソケットパネルの内部回路をどのように主電源電力に接続するかを示す基本ブロック図を示す。主電源電力は、本発明のインタフェースＸ２において壁付け型電子回路として変更した主電源電力供給コンセントのソケットパネルに接続する。インタフェースＸ２は、ソケットパネルの機械的スイッチＭ、およびソケットパネルの内部に収容した多数のリレーＲに接続する。リレーＲはソケットパネルの各コンセントにつき１個設ける。機械的スイッチは、一般的なイギリス主電源電力供給コンセントのライブ端子およびニュートラル端子ソケットをカバーする安全フラップを制御するのと同一機構により制御する。この制御機構は、一般的な主電源電気プラグのアース端子を差し込むことにより制御する。主電源電気プラグをソケットパネルに差し込むとき、機械的スイッチＭは閉成／オン位置に移動し、このときのみ、電力を電気回路Ｂ，Ｆ，Ｇ，Ｒ，Ｔ２，ＵおよびＶに接続することができる。主電源電気プラグがソケットパネルに差し込まれていないとき、機械的スイッチＭは断絶／オフ位置に移動し、電力が電気回路Ｂ，Ｆ，Ｇ，Ｒ，Ｔ２，ＵそしてＶによって使われることはない。図２ａに示すような壁付け型電子回路として変更した主電源電力供給単一コンセントのソケットパネルに関しては、インタフェースＸ２を電気的無効スイッチＢに接続する。図２ｂに示すような壁付け型電子回路として変更した電源電力供給ダブル（またはそれ以上の）コンセントのソケットパネルに関しては、インタフェースＸ２をオーバーライドスイッチＦに接続する。電気的無効スイッチＢおよびオーバーライドスイッチＦの双方は、接続する電気回路Ｇ，Ｒ，Ｔ２，ＵそしてＶへの電源閉成／オンまたは断絶／オフを制御する。壁付け型電子回路として変更した電源電力供給ダブル（またはそれ以上の）コンセントのソケットパネルに関しては、オーバーライドスイッチＦは、また、デコーダ回路ＵからリレーＲへの電気的オン／オフ接続を制御する。固体リレーも、従来の電気機械的リレーと同様に効果的に使用できる。オーバーライドスイッチＦが閉成／オン位置にある時のみ、リレーＲをデコーダ回路Ｕによって制御する。オーバーライドスイッチＦが断絶／オフ位置にあるとき、リレーＲは、このリレーＲ自体を経て、主電源給電端子Ｓ３からソケットパネルスイッチＣに電気を継続的に流すことができる。そして、リレーＲを通過する電力がある場合、ソケットパネルスイッチＣは、ソケット出口Ｏ１、およびダブル（またはそれ以上の）出口に関してはソケット出口Ｏ２に対する電源の閉成／オンまたは断絶／オフを制御する。このとけ、無効スイッチＢまたはオーバーライドスイッチＦは受信回路Ｖに接続する。受信回路Ｖに電力が供給される場合、受信回路Ｖは接続アンテナＴ２からの出力を継続的にモニタする。本発明の第１部分から送信される全ての受信電気信号に対して、受信回路Ｖは、接続したデコーダ回路Ｕに信号を送る。デコーダ回路Ｕは、電気信号を受信するとすぐに信号を復号し、デコーダ回路Ｕが電気的に保存したコードと関連があるかどうか検証する。それが同一である場合のみ、デコーダ回路Ｕは、接続するリレーＲへのオン／オフ制御（オンからオフ、オフからオンのいずれか）をトグル切り替えする。
【００３４】
デコーダ回路Ｕは、リレーＲのオン制御で、主電源給電端子Ｓ３と、ソケットパネル出口Ｏ１のソケットパネルスイッチＣ、およびダブル（またはそれ以上の）出口ソケットに対するソケットパネル出口Ｏ２のソケットパネルスイッチＣとの間におけるリレーの接続を断絶／オフにする。デコーダ回路Ｕは、リレーＲのオフ制御で、主電源給電端子Ｓ３と、ソケットパネル出口Ｏ１のソケットパネルスイッチＣ、およびダブル（またはそれ以上の）出口ソケットに対するソケットパネル出口Ｏ２のソケットパネルスイッチＣとの間におけるリレーの接続を閉成／オンにする。リセット／学習スイッチＧを、図２ａおよび図２ｂに参照符号１０で示し、ソケットパネルの前面に取り付け、またデコーダ回路Ｕに接続する。リセット／学習スイッチＧは、以下に説明するように３つの機能を有する。第１に、リセット／学習スイッチＧの瞬間的閉成／オン位置は、リレーＲをリセットし、主電源給電端子Ｓ３と、ソケットパネル出口Ｏ１のソケットパネルスイッチＣ、およびダブル（またはそれ以上の）出口ソケットに対するソケットパネル出口Ｏ２のソケットパネルスイッチＣとの間におけるリレーの接続を可能にする。第２に、リセット／学習スイッチＧの短時間の閉成／オン位置は、デコーダ回路Ｕに対して強制的に、本発明の第１部分から送信されたあらゆる電気信号から次に受信する信号コードを電気的に学習させ、また記憶させる。第３に、リセット／学習スイッチＧの長時間の閉成／オン位置は、デコーダ回路Ｕに対して受信して学習したあらゆる信号コードをクリアする。デコーダ回路Ｕは、加わる電力がないとき、記憶したあらゆる信号コードを保持する。
【００３５】
壁付け型電子回路として変更した主電源電力供給コンセントのソケットパネルの外付け形態とした他の実施形態を図６および図７に示す。図６は全体的に参照符号２０で示すソケットアダプタを示し、図６（ａ）は正面からの斜視図、図６（ｂ）は背面からの斜視図を示す。コンセントのソケットを「学習モード」にするスイッチを参照符号１０で示す。ソケットアダプタは、本明細書で説明した制御回路を備える。
【００３６】
図７は、やはり斜視図で、全体的に参照符号２１で示す引き出しケーブルを有する電源ソケットを示し、標準的なスイッチ８によりそれぞれ制御可能な４個のコンセント（アウトレット）２２を有し、このユニットは、全体として本明細書で説明した制御回路を備える。
【００３７】
図３は、典型的な家庭の部屋のレイアウトを示し、本発明による単独（シングル）またはダブルの給電コンセント（アウトレット）７、および本発明による電気照明スイッチアセンブリ１を示す。
【００３８】
図８は本発明による電気的コンセント（アウトレット）の他の実施形態を線図的に示す。この電気的コンセントには、例えば家庭用のリング状主電源から主電源電力３０を供給する。主電源電力３０は、リレー３１およびソケットの前面に取り付けた手動スイッチ３３を介して標準的なソケット３２に供給する。リレー（例えば固体もしくは電気機械的なリレー、または他の信号操作可能スイッチ）は、常閉構成とし、電流をソケットにスイッチを介して流すことができる。好適なリレーは、オフまたはオン位置への切り替えを維持するのに電力を必要としないタイプであるが、外部電気制御信号に応答するものとする。従って通常の動作では、ソケットは通常ソケットとして有効に作動する。
【００３９】
プラグセンサ３４を設け、このプラグセンサ３４は、図示のようにオーバーライドスイッチ３５を経て残りの回路に電力を送給することができるようにする。プラグセンサ３４は、プラグのピンの一方、プラグ本体の一部分による機械的動作、または金属探知器のような適切な近接検出器のいずれかにより、ソケット３２におけるプラグ（図示せず）の存在を検出する。プラグがソケットに存在する場合、電力はオーバーライドスイッチに送られる。使用者が遠隔制御可能ソケットの機能を使用しないと決めた場合、残りの回路に電力が流れるのを防止するようオーバーライドスイッチをセットすることができる。しかし、使用にあたり受信機３６に電力を供給し、この受信機３６は、アンテナ３７を介して無線信号を受信する。受信信号をデコーダ（復号）コントローラ３８に送信し、このデコーダコントローラ３８はソケットの全体操作を制御する。コード化信号を受信すると、デコーダコントローラ３８はコードがコード記憶装置３９内に見つかるかをチェックし、そして見つかった場合、リレー３１を作動させて、出口ソケットへの電力の流れを制御する。デコーダコントローラ３８を介して、新しいコードをセットすることができるよう、アンテナ／受信機３６，３７から新しいコードを受信する「学習モード」コントローラ４０を設ける。熟練の受信者は、他の分野、例えばプログラム可能なテレビ遠隔制御ユニットから入手可能な技術を使用し、このようなシステムを構築することができる。
【００４０】
図９は、本発明による延長リード線５１の形態とした配電アセンブリを示す。延長リード線５１は主電源ケーブル５２を有し、この主電源ケーブル５２は、３ピン主電源電気プラグ５３を、主電源電気端子ソケット５５を備えるプラスチック製のボックス５４に接続する。プラスチック製のボックス５４は、さらに、押しボタン式の電源スイッチ５６によって動作する無線送信機を備える。
【００４１】
使用にあたり、プラグ５３を主電源コンセント（アウトレット）に接続することにより、ソケット５５および無線送信機の双方に電力を供給する。このとき、遠隔電源スイッチ５６を操作することにより、無線送信機に対して、上述した電気照明スイッチ１が発生した信号と一致するコード化電気信号を発生させる。従って、延長リード線５１は上述の電源ソケット７，２０，２１を制御することができる。電気照明スイッチに関して説明した制御回路を使用することにより、押しボタンスイッチ５６が押される時、プラスチック製ボックス内の無線送信機のみが電力を使用する。
【００４２】
従って使用者は、例えばベッドサイドのランプを、延長リード線５１を使用して壁ソケットに接続することができ、また適切なソケットに接続した任意な装置のスイッチをオフにすることができ、例えばベッドから離れることなく待機モード状態にあるテレビの電力を止めることができる。
【００４３】
適正に機能させるために、延長リード線５１は、コード化信号が送られてきたときにオフにならない電源ソケットに接続しなければならない。したがって、プラスチック製のボックス５４内のソケット５５が使用中である場合、それは個別に無効にしなければならない。
【図１ａ】
2010526403.tif 000003
【図１ｂ】
2010526403.tif 000004
【図２ａ】
2010526403.tif 000005
【図２ｂ】
2010526403.tif 000006
【図３】
2010526403.tif 000007
【図４】
2010526403.tif 000008
【図５】
2010526403.tif 000009
【図６（ａ）】
2010526403.tif 000010
【図６（ｂ）】
2010526403.tif 000011
【図７】
2010526403.tif 000012
【図８】
2010526403.tif 000013
【図９】
2010526403.tif 000014
【国際調査報告】
2010526403.tif 000015
2010526403.tif 000016
2010526403.tif 000017